(57)【特許請求の範囲】
【請求項１】
略矩形状の上部マットと下部マットからなり、上部マットには係止部材が設けられており、上部マットは下部マットの上に重ねられて係止部材によって下部マットに係止され、係止部材を外せば下部マットから上部マットが分離できるようにしたペット介護用マットであって、
上部マットの裏面四隅には、上部マットの上に敷くシーツを固定するための固定バンドが設けられていることを特徴とするペット介護用マット。
【請求項２】
前記上部マットの裏面周縁全周に連続した紐状体が配置され、部分的に縫い付けられて持ち手とされていることを特徴とする請求項１に記載のペット介護用マット。
【請求項３】
前記紐状体は上部マット裏面四隅を横切るように配置されて持ち手とされ、四隅の持ち手が前記係止部材であることを特徴とする請求項２に記載のペット介護用マット。
【発明の詳細な説明】
【技術分野】
【０００１】
本発明は老齢や怪我、病気で体の不自由なペットの介護用マットに関するものである。
【背景技術】
【０００２】
老齢、怪我、病気などで自分で動けなくなったペットはベッドで寝たきりの状態になるので、ペットを移動する場合は、飼い主等が抱えて運ばなければならない。また、寝たきりの状態が続くと床ずれを生じやすいので、飼い主等が寝返りさせてやる必要がある。ペットを運搬したり寝返りさせる方法として、マットに持ち手を設けることが提案されている。（例えば、特開２００７−３７４１９、特開２００７−１５９４３８、実用新案登録第３１２０８７５号）
この方法によると、ペットを抱きかかえたりマットや寝床からペットキャリーなどに載せ替えたりする必要がないので手間が省けるし、ペットの体の負担も軽減できる。また、運搬だけでなく、寝返り補助にも使えるので便利である。
【先行技術文献】
【特許文献】
【０００３】
【特許文献１】特開２００７−３７４１９号公報
【特許文献２】特開２００７−１５９４３８号公報
【特許文献３】実用新案登録第３１２０８７５号公報
【発明の概要】
【発明が解決しようとする課題】
【０００４】
しかし、上記先行技術で寝床に持ち手を設けたタイプでは、寝床そのものが重いので飼い主等に負担がかかる。薄手のマットに持ち手を設けたタイプでは、寝床と兼用できないのでペットを運ぶ際に寝床から持ち手付きマットに移し替える必要があり手間がかかる。
そこで、本発明は、ペットを寝床からマットに移すことなく運搬でき、運搬時の負担も軽減できるペット介護用マットを提供するものである。
【課題を解決するための手段】
【０００５】
本発明に係るペット介護用マットは、略矩形状の上部マットと下部マットからなり、上部マットには係止部材が設けられており、上部マットは下部マットの上に重ねられて係止部材によって下部マットに係止され、係止部材を外せば下部マットから上部マットが分離できるようにされており、上部マットの裏面四隅には、上部マットの上に敷くシーツを固定するための固定バンドが設けられていることを特徴とする。
【０００６】
この発明によれば、係止部材によって上下のマットを一体化すれば厚くて柔軟性に優れたクッションとなるので、床ずれが生じにくく、ペットが安心してくつろぐことができる。ペットを運搬したり寝返りを補助する場合は、係止部材を外して上部マットだけを持ち上げればよいので、飼い主等の負担が軽くなる。
【０００７】
また、前記上部マットの裏面周縁全周に連続した紐状体が配置され、部分的に縫い付けられて持ち手とされていることが望ましい。
【０００８】
この構成によれば、上部マットの周縁部のどこでも掴むことができるので、持ち上げる際に便利である。
【０００９】
さらに、前記紐状体は上部マット裏面四隅を横切るように配置されて持ち手とされ、四隅の持ち手が前記係止部材であることが望ましい。
【００１０】
この構成によれば、上部マット裏面四隅に設けられた持ち手が係止部材を兼用しているので、構造が簡単であり、製造コストも低減される。
【発明の効果】
【００１１】
本発明のペット介護用マットは、上下のマットを一体化すれば柔軟性に優れたクッションとなり、上部マットを分離すればペットの運搬に適した軽量マットとなる。
【図面の簡単な説明】
【００１２】
【図１】ペット介護用マットの一例を示す斜視図である。
【図２】ペット介護用マットを裏から見た斜視図である。
【図３】ペット介護用マットの分解斜視図である。
【図４】ペット介護用マットを裏から見た分解斜視図である。
【図５】上部マットにペット用シーツを重ねてペットを載せた状態を示す図である。
【図６】上部マットでペットを運搬するときの状態を示す図である。
【発明を実施するための形態】
【００１３】
以下、図面を参照しつつ、本発明に係るペット介護用マット１の実施形態を説明する。
【実施例】
【００１４】
図１、２にペット介護用マット１を示し、図３、４はその分解斜視図である。ペット介護用マット１は下部マット２と上部マット３よりなり、下部マット２の上に上部マット３が重ねられている。下部マット２は高反発のウレタン製クッションを合成皮革の表皮で覆ったもので、６５０ｍｍ×８００ｍｍの略矩形状で、厚さは３０ｍｍである。裏面には滑り止め加工がなされている。
【００１５】
上部マット３は、低反発のウレタンクッションをポリエステルシートで覆ったもので、厚さが２０ｍｍで外形は下部マット２と同一である。図４に示すように、上部マット３の裏面周縁には全周にわたって連続した紐状体４が部分的に縫い付けられている。縫い付けられていない部分が持ち手５となっている。四隅では紐状体４が隅を横切るように配置されて持ち手５となっている。紐状体４の材質は、特に限定されないが、ナイロン等強度があって、伸縮性の小さいものが好ましい。四隅の持ち手５は上部マット３を下部マット２に係止するための係止部材６を兼ねている。また、紐状体４が上部マット３の裏面中央部で十字状に縫い付けられて、上部マット３が補強されている。上部マット３の裏面四隅において紐状体４の外側には固定バンド７が設けられている。固定バンド７は伸縮性で、その両端が上部マット３に縫い付けられている。
【００１６】
本発明のペット介護用マット１の使い方について説明する。本発明のペット介護用マット１を寝床や休息させるためのクッションとして使用するときは、下部マット２の上に上部マット３を重ね、上部マット３裏面四隅の持ち手５兼係止部材６の内側に下部マット２の四隅を挿入する。これで下部マット２に上部マット３が係止される。上部マット３だけでは薄いが、下に下部マット２が敷かれているので厚さが十分となる。上部マット３は低反発のウレタンフォームであって体圧分散に優れているが、それだけでは底付きしやすいので、高反発のウレタンフォームである下部マット２を敷くことによって底付きが防止できる。この上にペットＰを載せてやれば、寝床や休息用に好適なクッションとなる。
【００１７】
ペットの尿を吸収したり消臭する場合は、図５に示すように、ペット用シーツ８を上部マット３の上に載せ、上部マット３裏面四隅に設けられた固定バンド７を表側に反転してペット用シーツ８の四隅を挟んで固定する。ペット介護用マット１に載せたペットＰが動き回ってもペット用シーツ８が外れたり、めくれたりすることがない。
【００１８】
ペットＰを寝返りさせる場合は、上部マット３の四隅の係止部材６（兼持ち手５）を下部マット２から外す。上部マット３裏面周縁に設けられた持ち手５を掴んで、上部マット３の片側をペットＰの体の方向と直交する方向にゆっくり持ち上げてペットＰの寝返りを促す。持ち手５が上部マット３の裏面周縁の全周に沿って設けられているので、ペットＰが上部マット３上のどの位置にいても、都合のいい位置の持ち手５を掴めるので便利である。
【００１９】
またペットＰを運搬するときは、上部マット３裏面周縁に設けられた持ち手５を掴んで持ち上げ、ペットＰを載せたまま上部マット３を運搬する。持ち手５用の紐状体４が上部マット３裏面周縁全周に連続して配置されているので、持ち手５が上部マット３の補強の役目も果たしている。さらに紐状体４が上部マット３の裏面中央部で十字状に縫い付けられているので、上部マット３を持ち上げたり、引っ張ったりした際の荷重が、強度の高い紐状体４に加わるようになっている。この例では上部マット３の裏面中央部で紐状体４を十字状に縫い付けたが、さらに多く縫い付けて補強してもよい。
【００２０】
上部マット３の周縁部の持ち手５を直接掴んで運搬してもよいが、図６に示すように、運搬用の肩掛けベルト９を持ち手５に引っ掛ければ、肩掛けベルト９を肩に掛けて運搬することができる。肩掛けベルト９をマット四隅の持ち手５に掛ければ上部マット３の周囲が持ち上がるので、ペットＰを安全に運ぶことができる。
【符号の説明】
【００２１】
１    ペット介護用マット
２    下部マット
３    上部マット
４    紐状体
５    持ち手
６    係止部材
７    固定バンド
８    ペット用シーツ
９    肩掛けベルト
Ｐ    ペット
【図１】
0006431771.tif 000002
【図２】
0006431771.tif 000003
【図３】
0006431771.tif 000004
【図４】
0006431771.tif 000005
【図５】
0006431771.tif 000006
【図６】
0006431771.tif 000007